Podtech/llm-jp-corpus-v4-ja_patent huggingface dataset:
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
多孔質マトリックスからモノリシック体を製造する方法であって、
付加製造プロセスにおいて低温固化を利用するステップを含む方法。
【請求項２】
請求項１記載の方法において、
温度が、約２５０℃未満であるか、あるいは
未焼結体を固化するかまたは前記未焼結体から結合剤を除去するかの少なくとも１つのために低温固化を利用し、かつ前記未焼結体がプリントヘッドから堆積された粉体ベースのセラミック、金属またはサーメット材料を含むか、あるいは
未焼結体を固化するかまたは前記未焼結体から結合剤を除去するかの少なくとも１つのために低温固化を利用し、かつ低温固化が、塩基性液体を前記未焼結体に供給することと、前記未焼結体を２５０℃未満の温度に加熱して前記結合剤を前記未焼結体から除去することとを含むか、あるいは
未焼結体を固化するかまたは前記未焼結体から結合剤を除去するかの少なくとも１つのために低温固化を利用し、かつ低温固化が、流体を前記未焼結体に供給することと、２５０℃未満の温度に加熱して前記未焼結体を固化しモノリシック固体にすることとを含み、また前記モノリシック固体のサイズが前記未焼結体のサイズの２％以内であるか、あるいは
未焼結体を固化するかまたは前記未焼結体から結合剤を除去するかの少なくとも１つのために低温固化を利用し、かつ低温固化が、流体を前記未焼結体に供給することと、２５０℃未満の温度に加熱して前記未焼結体を固化しモノリシック固体にすることとを含み、また前記流体が部分浸透低温固化におけるガスおよび液体を含むかまたは全浸透低温固化における液体を含むか、あるいは
未焼結体を固化するかまたは前記未焼結体から結合剤を除去するかの少なくとも１つのために低温固化を利用し、かつ低温固化が、塩基性液体を前記未焼結体に供給することと、前記未焼結体を２５０℃未満の温度に加熱して前記結合剤を前記未焼結体から除去するとともに前記未焼結体を固化しモノリシック固体にすることを含む方法。
【請求項３】
請求項１記載の方法において、
隙間を有し、少なくとも第１の反応物を含む、多孔質マトリックスの１層を供給するステップと、
前記多孔質マトリックスの１層を少なくとも第２の反応物を有する浸透性媒体と接触させるステップと、
前記少なくとも第１の反応物と前記少なくとも第２の反応物との反応を促進して、少なくとも第１の生成物を生成する条件下で、前記浸透性媒体を前記多孔質マトリックスの１層の隙間の少なくとも一部に浸透させるステップと、
前記少なくとも第１の生成物を形成させて、前記多孔質マトリックスの１層の隙間の少なくとも一部を満たすステップと、
前記ステップを繰り返して、モノリシック体を製造するステップと、
をさらに含む方法。
【請求項４】
請求項１記載の方法において、
隙間を有し、少なくとも第１の反応物を含む、多孔質マトリックスの複数の連続層を供給するステップと、
前記多孔質マトリックスの複数の連続層を少なくとも第２の反応物を有する浸透性媒体と接触させるステップと、
前記少なくとも第１の反応物と前記少なくとも第２の反応物との反応を促進して、少なくとも第１の生成物を生成する条件下で、前記浸透性媒体を前記多孔質マトリックスの層の隙間の少なくとも一部に浸透させるステップと、
前記少なくとも第１の生成物を形成させて、前記多孔質マトリックスの層の隙間の少なくとも一部を満たして、前記モノリシック体を形成するステップと、
をさらに含む方法。
【請求項５】
請求項４記載の方法において、
次の連続層を供給するステップの前に、前記複数の連続層の各層が前記浸透性媒体と接触するか、あるいは
前記複数の連続層の層すべてが最初に供給され、次いで前記複数の連続層が前記浸透性媒体と接触する方法。
【請求項６】
請求項１記載の方法において、
隙間を有し、少なくとも第１の反応物を含む、多孔質マトリックスの第１の層を供給するステップと、
前記多孔質マトリックスの第１の層を少なくとも第２の反応物を有する浸透性媒体と接触させるステップと、
前記少なくとも第１の反応物と前記少なくとも第２の反応物との反応を促進して、少なくとも第１の生成物を生成する条件下で、前記浸透性媒体を前記多孔質マトリックスの第１の層の隙間の少なくとも一部に浸透させるステップと、
前記少なくとも第１の生成物を形成させて、前記多孔質マトリックスの第１の層の隙間の少なくとも一部を満たすステップと、
前記多孔質マトリックスの複数の連続層を前記多孔質マトリックスの第１の層の上に供給するステップと、
前記多孔質マトリックスの複数の連続層を前記浸透性媒体と接触させるステップと、
前記少なくとも第１の反応物と前記少なくとも第２の反応物との反応を促進して、少なくとも第１の生成物を生成する条件下で、前記浸透性媒体を前記多孔質マトリックスの複数の連続層の隙間の少なくとも一部に浸透させるステップと、
前記少なくとも第１の生成物を形成させて、前記多孔質マトリックスの第１の層の隙間の少なくとも一部を満たし、それによってモノリシック体を製造するステップと、
をさらに含む方法。
【請求項７】
請求項１、３、４または６記載の方法において、
前記多孔質マトリックス全体に前記浸透性媒体が十分に浸透するか、あるいは
前記多孔質マトリックスが、結合剤材料を含むか、あるいは
前記浸透性媒体が前記結合剤と反応することにより、前記多孔質マトリックスから前記結合剤が除去されるか、あるいは
前記方法が、付加製造プロセスを含む方法。
【請求項８】
請求項１、３、４または６記載の方法において、
前記少なくとも第１の生成物を形成させて、前記多孔質マトリックスの層の隙間の少なくとも一部を満たすことが、前記多孔質マトリックスの層（単数または複数）を加熱することを含む方法。
【請求項９】
請求項１、３、４または６記載の方法において、
前記多孔質マトリックスが、金属、セラミック、サーメット、ポリマーまたはその複合物の前駆体を含むか、あるいは
前記多孔質マトリックスが、未焼結体である方法。
【請求項１０】
請求項１、３、４または６記載の方法において、
前記少なくとも第１の生成物を形成させて、前記多孔質マトリックスの層の隙間の少なくとも一部を満たすことが、本質的に２％未満が収縮する結果になる方法。
【請求項１１】
請求項１、３、４または６記載の方法において、
前記多孔質マトリックスと前記浸透性媒体が、２５０℃未満の温度で反応する方法。
【請求項１２】
請求項１、３、４または６記載の方法において、
前記浸透性媒体が、ガスを含む方法。
【請求項１３】
請求項１２記載の方法において、
前記ガスが、ＣＯ2 を含む方法。
【請求項１４】
請求項１、３、４または６記載の方法において、
前記多孔質マトリックスが、スラリを含む方法。
【請求項１５】
請求項１、３、４または６記載の方法において、
前記多孔質マトリックスの層（単数または複数）が、プリントヘッドを用いて供給されるか、あるいは
前記浸透性媒体が、プリントヘッドを用いて供給される方法。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
ダウンフェザー（１４）と弾性特性を示すバインダー（１５）との混合物を含み、前記ダウンフェザー（１４）と前記バインダー（１５）との前記混合物は、所定の比率で混合されて伸縮性ダウンフェザーコア（１１）を形成している、断熱性の伸縮性ダウンフェザーシート（１０）であって、
多方向伸縮性を有する少なくとも１つの伸縮性エラストマーシート（１３）が、前記ダウンフェザーコア（１１）の上面もしくは下面に接着され、
前記バインダー（１５）は、前記所定の比率で前記ダウンフェザー（１４）と混合された熱融合性弾性結合ストランド（１５’）によって構成されている、
断熱性の伸縮性ダウンフェザーシート。
【請求項２】
前記伸縮性エラストマーシート（１２、１３）が２つあり、前記伸縮性ダウンフェザーコア（１１）の前記上面もしくは下面の夫々１つに加熱結合されている、請求項１に記載の断熱性の伸縮性ダウンフェザーシート。
【請求項３】
前記バインダー（１５）が、前記所定の比率において前記ダウンフェザー（１４）と混合され、熱処理を施された後に伸縮性である、熱融合性乾燥接着剤粒子で構成されている、請求項１に記載の断熱性の伸縮性ダウンフェザーシート。
【請求項４】
前記少なくとも１つの伸縮性エラストマーシート（１３）が、熱融合性乾燥接着剤粒子および／または前記熱融合性弾性結合ストランド（１５’）によって、前記ダウンフェザーコア（１１）に結合されている、請求項１に記載の断熱性の伸縮性ダウンフェザーシート。
【請求項５】
前記ダウンフェザーコア（１１）が、６体積％〜２０体積％の前記融合性乾燥接着剤粒子を含む、請求項３に記載の断熱性の伸縮性ダウンフェザーシート。
【請求項６】
前記ダウンフェザーコア（１１）が、６体積％〜１２体積％の前記融合性乾燥接着剤粒子を含む、請求項３に記載の断熱性の伸縮性ダウンフェザーシート。
【請求項７】
前記ダウンフェザーコア（１１）が、６体積％〜３０体積％の前記熱融合性弾性結合ストランド（１５’）を含む、請求項１に記載の断熱性の伸縮性ダウンフェザーシート。
【請求項８】
前記ダウンフェザーコア（１１）が、６体積％〜１２体積％の前記融合性弾性結合ストランド（１５’）を含む、請求項１に記載の断熱性の伸縮性ダウンフェザーシート。
【請求項９】
前記バインダー（１５）が、８０℃を超える軟化結合点を有し、前記バインダーに８０℃〜１５０℃の熱処理を施すことができる、請求項１に記載の断熱性の伸縮性ダウンフェザーシート。
【請求項１０】
前記熱融合性弾性結合ストランド（１５’）が、８０℃未満の軟化点を有する低分子量ポリマーである、請求項１に記載の断熱性の伸縮性ダウンフェザーシート。
【請求項１１】
前記伸縮性エラストマーシート（１２、１３）の各１つが、伸長回復特性を有する不織の軽量な通気性の繊維ウェブである、請求項２に記載の断熱性の伸縮性ダウンフェザーシート。
【請求項１２】
前記伸縮性エラストマーシート（１２、１３）の各１つが、交差点において一緒に融合された縦糸および横糸のポリマーストランドで構成された弾性の網（１２’）であり、前記弾性の網（１２’）は、優れた柔軟性、接着性、および通気性を示すものである、請求項２に記載の断熱性の伸縮性ダウンフェザーシート。
【請求項１３】
前記ポリマーストランドがスチレンストランド、またはそれらのブレンドである、請求項１２に記載の断熱性の伸縮性ダウンフェザーシート。
【請求項１４】
（ｉ）混合チャンバー（２７）において、所定の量のダウンフェザー（１４）と、そのバインダー（１５）の軟化点より高い温度での熱処理を施されたときに結合および弾性特性を示す所定の量の乾燥のバインダー（１５）とを混合する工程であって、前記バインダー（１５）は、熱融合性弾性結合ストランド（１５’）で構成されている工程と、
（ｉｉ）エラストマーシート（１３）を前記混合チャンバー（２７）の被着用出口（３４）の下へ移送し、前記バインダー（１５）と混合された前記ダウンフェザー（１４）の実質的に均一な層を前記エラストマーシート（１３）の上面に被着する工程と、
（ｉｉｉ）前記バインダー（１５）と混合された前記ダウンフェザー（１４）の前記実質的に均一な層を有する伸縮性の前記エラストマーシート（１３）を加熱チャンバー（３９）内へ搬送し、前記熱処理を施し、前記ダウンフェザー（１４）と前記バインダー（１５）を一緒に捉えて前記エラストマーシート（１３）に結合させることによって断熱性の伸縮性ダウンフェザーシート（１０）を形成する工程と、
（ｉｖ）前記断熱性の伸縮性ダウンフェザーシート（１０）を連続シートとして前記加熱チャンバー（３９）の外に移送する工程と、
を含む、断熱性の伸縮性ダウンフェザーシートの製造方法。
【請求項１５】
前記工程（ｉｉ）の後に、前記バインダー（１５）と混合された前記ダウンフェザー（１４）の前記実質的に均一な層を覆うように、第二のエラストマーシート（１２）を移送する工程が設けられ、
前記工程（ｉｉｉ）において、両方の前記エラストマーシート（１２、１３）を、前記バインダー（１５）と混合された前記ダウンフェザー（１４）の前記実質的に均一な層の底面と上面に夫々接着させる、請求項１４に記載の方法。
【請求項１６】
前記バインダー（１５）が、前記熱処理を施された後に弾性を示す熱融合性乾燥接着剤粒子で構成されている、請求項１４に記載の方法。
【請求項１７】
前記工程（ｉｖ）の後に、前記断熱性の伸縮性ダウンフェザーシート（１０）に冷却気流を当てる工程が設けられる、請求項１４に記載の方法。
【請求項１８】
前記工程（ｉｖ）の後に、前記断熱性の伸縮性ダウンフェザーシート（１０）の十分な冷却の後に前記断熱性の伸縮性ダウンフェザーシート（１０）をスリッター装置（４４）へ搬送する工程が設けられる、請求項１４に記載の方法。
【請求項１９】
前記工程（ｉｉ）の後に、前記バインダー（１５）と混合された前記ダウンフェザー（１４）が前記混合チャンバー（２７）の前記被着用出口（３４）を通過して搬送された後に、前記バインダー（１５）と混合された前記ダウンフェザー（１４）の少なくとも対向する側端部を抑える工程が設けられる、請求項１４に記載の方法。
【請求項２０】
前記工程（ｉ）の後かつ前記工程（ｉｉ）の前に、前記バインダー（１５）を、前記エラストマーシート（１３）の上面に所定の量だけ突出させる工程が設けられ、
前記工程（ｉｉ）の後かつ前記工程（ｉｉｉ）の前に、前記バインダー（１５）を、前記バインダー（１５）と混合された前記ダウンフェザー（１４）の前記実質的に均一な層の上面に所定の量だけ突出させ、前記エラストマーシート（１２，１３）との界面において前記ダウンフェザー（１４）と前記バインダー（１５）との界面における結合を強化する工程が設けられる、請求項１５に記載の方法。
【手続補正書】
【提出日】平成29年10月25日(2017.10.25)
【手続補正１】
【補正対象書類名】明細書
【補正対象項目名】０１７３
【補正方法】変更
【補正の内容】
【０１７３】
2.3    較正
標準プロットでコロニー形成単位（CFU）と相対蛍光単位（RFU）とを相関出来るようにするために、5倍希釈で種々の微生物の希釈系列を調製した（80μlの等張生理食塩水と20μl微生物溶液）。希釈液5μlを3個の異なる寒天プレート（栄養寒天、平板菌数寒天、及びトリプシン大豆寒天）に滴下して適用した。寒天プレートを33℃で一晩回転させながらインキュベートした。コロニー形成単位数（CFU／ml）を翌日に定量した。
【手続補正２】
【補正対象書類名】特許請求の範囲
【補正対象項目名】全文
【補正方法】変更
【補正の内容】
【特許請求の範囲】
【請求項１】
繊維及び／又は織物を仕上げる方法であって、以下のａ）、ｂ）及びｃ）の工程、
ａ）下記一般式（Ｉ）で表される少なくとも一種の親水性シラン誘導体Ｓ、
【化１】
2017503092.tif 000001
ここで、
R1、R2及びR3は互いに独立してＨまたはC1-C6アルキルであり、
ａは１から１０の整数であり、
R4は下記式ｉ)、又は(xv)から選択され、
ｉ)
【化２】
2017503092.tif 000002
ここで、
Ｘは結合、-O-T-、-O-T-CH(OH)-、-O-T-CH(OH)-T'-、-O-C(=O)-または-O-C(=O)-T-、
ここで、T及び T'は、互いに独立して、C1-12アルキレンから選択され、
R5は各存在時に独立してＨまたはC1-6アルキルであり、
ＹはＨ、C1-12アルキル、C1-12ヒドロキシアルキル、C1-12ハロアルキル、C7-20アリールアルキル、-C（=0)(C1-12アルキル）、-(CH2)a-Si(OR1)(OR2)(OR3) 、-T-O-(CH2)a-Si(OR1)(OR2)(OR3)、-T-CH(OH)-O-(CH2)a-Si(OR1)(OR2)(OR3) または-T-CH(OH)-T'-O-(CH2)a-Si(OR1)(OR2)(OR3)であり、ここでR1、R2、R3、T、T' 及びａは上記定義の通りであり、
ｂは０から２０の数字である、
又は
(xv)
【化３】
2017503092.tif 000003
ここで、ｐ＝１から２０であり、かつ、R9は好ましくは-OH、-OCH3、-OCH2CH3及び-NH2から選択される、
及び場合により少なくとも一種の溶媒Ｌを含む、組成物ＺＳを用意する工程
ｂ）組成物ＺＳを繊維及び／又は織物に適用する工程、
ｃ）場合により繊維及び／又は織物を洗浄及び／又は乾燥する工程
を含む上記方法。
【請求項２】
R1、R2及びR3が互いに独立して、メチル又はエチルであり、かつａが３である請求項１に記載の方法。
【請求項３】
R4が下式、
(x)
【化４】
2017503092.tif 000004
ここで、ｂ＝２から２０、かつＹはＨ及びC1〜C6アルキルから選択され、
(xi)
【化５】
2017503092.tif 000005
ここで、Ｙは、Ｈ、C1-6アルキル及び-C(=O)(C1-12アルキル)から選択され、
(xii)
【化６】
2017503092.tif 000006
ここで、ａは２から６、ｂは２から１０、かつR1、R2及びR3は互いに独立してメチル又はエチルであり、
(xiii)
【化７】
2017503092.tif 000007
ここで、ａは２から６、ｂは２から２０であり、かつR1、R2及びR3は好ましくは、互いに独立してメチル又はエチルである、
から選択された基である請求項１または２に記載の方法。
【請求項４】
組成物ＺＳが、水、モノまたは多価C1-6アルコール、グリコール、グリコール誘導体、ポリグリコール、ポリグリコールエーテル、エーテル、およびそれらの混合物から選択される溶媒Ｌを含む請求項１〜３のいずれかに記載の方法。
【請求項５】
組成物ＺＳが、水、メチルトリグリコール、エチレングリコール、ポリエチレングリコール、プロピレングリコール、ポリプロピレングリコール、プロピレングリコールモノメチルエーテル、プロピレングリコールジメチルエーテル、プロピレングリコールモノエチルエーテル、プロピレングリコールジエチルエーテル、メタノール、エタノール、プロパノール及びブタノールからなる群から選択される少なくとも一種の溶媒Ｌを含む請求項１〜４のいずれかに記載の方法。
【請求項６】
組成物ＺＳが、組成物ＺＳ全体に基づき、少なくとも一種の親水性シラン誘導体Ｓを0.0001から10wt％含む請求項１〜５のいずれかに記載の方法。
【請求項７】
工程ｂ）において組成物ＺＳを、パッドマングル法、発泡塗布、スプレー法、被覆法または吸尽法により適用する請求項１〜６のいずれかに記載の方法。
【請求項８】
繊維及び／又は織物が合成繊維を含む請求項１〜７のいずれかに記載の方法。
【請求項９】
仕上げは、繊維及び／又は織物上への微生物の沈着を低減するものであり、かつ、その方法は繊維及び／又は織物上への微生物の沈着を定量的に測定するための以下の追加工程、
a'1）１種又はそれ以上の異なる微生物を含む水性懸濁液を調製する工程
b'1）１種又はそれ以上の異なる微生物を含む水性懸濁液を、工程ｂ）又はｃ）で仕上
げた繊維及び／又は織物に、又は工程ｂ）又はｃ）で繊維及び／又は織物の一部に、接触させる工程、
c'1）懸濁上清から繊維及び／又は織物を分離し、次いで、その繊維及び／又は織物を
洗浄する工程、
d'1）剪断力及び／又は超音波及び／又は酵素に曝露することによって、繊維および／
または織物から沈着した微生物を除去する工程、
e'1) 除去した微生物の量を定量する工程
を含む請求項１〜８のいずれかに記載の方法。
【請求項１０】
請求項１に記載の一般式（Ｉ）で表される少なくとも一種の親水性シラン誘導体Ｓを含む組成物による固体状基体を被覆する方法であって、ここで、微生物の固体状基体上への沈着が低減される、上記方法。
【請求項１１】
固体状基体がガラス、セラミック、プラスチック、金属、繊維及び織物から選択される基体である請求項１０に記載の方法。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
５５〜９５重量％のテトラフルオロエチレン／ヘキサフルオロプロピレン／ペルフルオロ（アルキルビニルエーテル）コポリマーと、４５〜５重量％のテトラフルオロエチレン／ペルフルオロ（アルキルビニルエーテル）コポリマーとを、それらの総重量ベースで、合計すると１００重量％となるように含む組成物を含む配向フィルムであって、前記コポリマーのそれぞれにおける前記アルキルが、１〜４個の炭素原子を含み、ヘキサフルオロプロピレンが、テトラフルオロエチレン／ペルフルオロ（アルキルビニルエーテル）コポリマー中に存在しない、配向フィルム。
【請求項２】
前記組成物における前記コポリマーの両方に、前記テトラフルオロエチレン／ペルフルオロ（アルキルビニルエーテル）コポリマーと前記ペルフルオロ（アルキルビニルエーテル）が存在することにより、前記フィルムの熱成形性が向上する、請求項１に記載の配向フィルム。
【請求項３】
前記組成物の前記コポリマーの両方における前記ペルフルオロ（アルキルビニルエーテル）の総量が、前記フィルムの前記熱成形性を向上させるのに有効である、請求項２に記載の配向フィルム。
【請求項４】
前記フィルムが、少なくとも２５％である熱成形性の向上を示す、請求項２に記載の配向フィルム。
【請求項５】
前記フィルムの厚さが、０．０１５ｍｍ（６ミル）以下である、請求項１に記載の配向フィルム。
【請求項６】
前記フィルムの前記厚さが、０．０７６ｍｍ（３ミル）以下である、請求項４に記載の配向フィルム。
【請求項７】
前記フィルムの配向が異方的である、請求項１に記載の配向フィルム。
【請求項８】
前記フィルムの配向が、少なくとも０．１％である２００℃における収縮率によって特徴付けられる、請求項６に記載の配向フィルム。
【請求項９】
前記組成物のメルトフローレート（ＭＦＲ）が少なくとも１０ｇ／１０分である、請求項１に記載の配向フィルム。
【請求項１０】
前記組成物の前記コポリマーの両方における前記ペルフルオロ（アルキルビニルエーテル）の総量が、前記コポリマーの総重量ベースで少なくとも２．４重量％である、請求項１に記載の配向フィルム。
【請求項１１】
前記テトラフルオロエチレン／ペルフルオロ（アルキルビニルエーテル）コポリマーの前記ペルフルオロ（アルキルビニルエーテル）が、前記コポリマーの少なくとも５重量％である、請求項１に記載の配向フィルム。
【請求項１２】
前記テトラフルオロエチレン／ヘキサフルオロプロピレン／ペルフルオロ（アルキルビニルエーテル）コポリマーと前記テトラフルオロエチレン／ペルフルオロ（アルキルビニルエーテル）コポリマーにおけるペルフルオロ（アルキルビニルエーテル）が同じである、請求項１に記載の組成物。
【請求項１３】
前記組成物が、前記５５〜９５重量％のテトラフルオロエチレン／ヘキサフルオロプロピレン／ペルフルオロ（アルキルビニルエーテル）コポリマーと、前記４５〜５重量％のテトラフルオロエチレン／ペルフルオロ（アルキルビニルエーテル）コポリマーとを、それらの総重量ベースで、合計すると１００重量％となるように含むものをメルトブレンドした生成物である、請求項１に記載の組成物。
【請求項１４】
５５〜９５重量％のテトラフルオロエチレン／ヘキサフルオロプロピレン／ペルフルオロ（アルキルビニルエーテル）コポリマーと、５〜４５重量％のテトラフルオロエチレン／ペルフルオロ（アルキルビニルエーテル）コポリマーとを、それらの総重量ベースで、合計すると１００重量％となるように含む配向フィルムを熱成形することを含むプロセスであって、前記コポリマーのそれぞれにおける前記アルキルが、１〜４個の炭素原子を含み、ヘキサフルオロプロピレンが、テトラフルオロエチレン／ペルフルオロ（アルキルビニルエーテル）コポリマー中に存在しない、プロセス。
【請求項１５】
前記組成物における前記コポリマーの両方に前記テトラフルオロエチレン／ペルフルオロ（アルキルビニルエーテル）コポリマーと、前記ペルフルオロ（アルキルビニルエーテル）が存在することにより、前記フィルムの熱成形性が向上する、請求項１４に記載のプロセス。
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
安定化されたアルファへリックスと、アルファへリックスではない少なくとも１の他の安定化された構造モチーフとを含む、ポリペプチド。
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
活性成分として、Ｌ−カルニチン又はその塩、アセチル−Ｌ−カルニチン又はその塩、ビタミンＢ９（葉酸）、ビタミンＡ、ビタミンＢ１２、ビタミンＢ５（パントテン酸）、ビタミンＢ６（ピリドキシン）、アルギニン、ビタミンＣ、ビタミンＥ（α−トコフェロール）、セレン、亜鉛、銅、鉄、ビタミンＤ及びＮ−アセチルシステインと、必要に応じて薬学的に許容可能な１又は複数の賦形剤とを含む、組み合わせ組成物。
【請求項２】
用量２５８９〜２８７．６ｍｇ（Ｌ−カルニチン分子内塩１５００〜１６６．６ｍｇに相当）のＬ−カルニチンフマル酸塩；
用量７５０〜２５．０ｍｇのアセチル−Ｌ−カルニチン；
用量６００〜６６．６ｍｃｇの葉酸（ビタミンＢ９）；
用量２４００〜２６６．６ｍｃｇのベータカロチン由来ビタミンＡ；
用量７．５〜０．８３３ｍｃｇのビタミンＢ１２；
用量１８．０〜２．０ｍｇのビタミンＢ５（パントテン酸）；
用量６．０〜０．６６６ｍｇのビタミンＢ６（ピリドキシン）；
用量１５００〜１６６．６ｍｇのアルギニン；
用量２７０．０〜３０．０ｍｇのビタミンＣ；
用量９０．０〜１０．０ｍｇのビタミンＥ（α−トコフェロール（α-tocopherolo））；
用量１５０〜１６．６ｍｃｇのセレン；
用量３０．０〜３．３３ｍｇの亜鉛；
用量４．９５〜０．５５ｍｇの銅；
用量４２．０〜４．６６ｍｇの鉄；
用量１５．０〜１．６６ｍｃｇのビタミンＤ；
用量１５０〜１６．６ｍｇのＮ−アセチルシステイン
を含む請求項１記載の組み合わせ組成物。
【請求項３】
補酵素、ミネラル物質、抗酸化剤、ビタミン、及び雌の受胎能の促進に有用な薬剤をさらに含む請求項１又は２記載の組み合わせ組成物。
【請求項４】
栄養補助食品としての請求項１〜３のいずれかに記載の組み合わせ組成物。
【請求項５】
雌の受胎能の促進に使用するための請求項１〜４のいずれかに記載の組み合わせ組成物。
【請求項６】
薬物及び／又はホルモン刺激での雌の受胎能の促進に使用するための請求項１〜５のいずれかに記載の組み合わせ組成物。
【請求項７】
排卵をサポートするための薬物及び／又はホルモン刺激において雌の受胎能の促進に使用するための請求項１〜６のいずれかに記載の組み合わせ組成物。
【請求項８】
卵母細胞の受精を促進するための薬物及び／又はホルモン刺激において雌の受胎能の促進に使用するための請求項１〜７のいずれかに記載の組み合わせ組成物。
【請求項９】
体内での卵母細胞の受精を促進するための薬物及び／又はホルモン刺激において雌の受胎能の促進に使用するための請求項１〜８のいずれかに記載の組み合わせ組成物。
【請求項１０】
体外での卵母細胞の受精を促進するための薬物及び／又はホルモン刺激において雌の受胎能の促進に使用するための請求項１〜９のいずれかに記載の組み合わせ組成物。
【請求項１１】
雌の受胎能を促進するために有用なホルモン及び／又は薬物の使用に起因する副作用の低減に使用するための請求項１〜１０のいずれかに記載の組み合わせ組成物。
【請求項１２】
Ｌ−カルニチン又はアセチル−Ｌ−カルニチンの塩が、塩化物、臭化物、オロト酸塩、アスパラギン酸塩、酸性アスパラギン酸塩、酸性クエン酸塩、クエン酸マグネシウム、リン酸塩、酸性リン酸塩、フマル酸塩及び酸性フマル酸塩、フマル酸マグネシウム、乳酸塩、マレイン酸塩及び酸性マレイン酸塩、シュウ酸塩、酸性シュウ酸塩、パモ酸塩、酸性パモ酸塩、硫酸塩、酸性硫酸塩、リン酸グルコース、酒石酸塩及び酸性酒石酸塩、グリセロリン酸塩、ムチン酸塩、酒石酸マグネシウム、２−アミノ−エタンスルホン酸塩、２−アミノ−エタンスルホン酸マグネシウム、メタンスルホン酸塩、酒石酸コリン、トリクロロ酢酸塩、又はトリフルオロ酢酸塩からなる群より選択される請求項１〜１１のいずれかに記載の組み合わせ組成物。
【請求項１３】
経口投与のための請求項１〜１２のいずれかに記載の組み合わせ組成物。
【請求項１４】
投与が、薬物及び／又はホルモン刺激を始める少なくとも１か月前に開始される請求項１３記載の組み合わせ組成物。
【請求項１５】
投与が、薬物及び／又はホルモン刺激を始める少なくとも１週間前に開始される請求項１３記載の組み合わせ組成物。
【請求項１６】
用量１７２６〜４３１．５ｍｇ（Ｌ−カルニチン分子内塩１０００〜２５０ｍｇに相当）のＬ−カルニチンフマル酸塩；
用量５００〜１２５ｍｇのアセチル−Ｌ−カルニチン；
用量４００〜１００ｍｃｇの葉酸（ビタミンＢ９）；
用量１６００〜４００ｍｃｇのベータカロチン由来ビタミンＡ；
用量５．０〜１．２５０ｍｃｇのビタミンＢ１２；
用量１２．０〜３．０ｍｇのビタミンＢ５（パントテン酸）；
用量４．０〜１．０ｍｇのビタミンＢ６（ピリドキシン）；
用量１０００．０〜２５０．０ｍｇのアルギニン；
用量１８０．０〜４５．０ｍｇのビタミンＣ；
用量６０．０〜１５．０ｍｇのビタミンＥ（α−トコフェロール）；
用量１００．０〜２５．０ｍｃｇのセレン；
用量２０．０〜５．０ｍｇの亜鉛；
用量３．３〜０．８２５ｍｇの銅；
用量２８．０〜７．０ｍｇの鉄；
用量１０．００〜２．５０ｍｃｇのビタミンＤ；
用量１００．０〜２５．０ｍｇのＮ−アセチルシステイン
を含む請求項１〜１５のいずれかに記載の組み合わせ組成物。
【請求項１７】
用量８６３ｍｇ（Ｌ−カルニチン分子内塩５００ｍｇに相当）のＬ−カルニチンフマル酸塩；
用量２５０ｍｇのアセチル−Ｌ−カルニチン；
用量２００ｍｃｇの葉酸（ビタミンＢ９）；
用量８００ｍｃｇのベータカロチン由来ビタミンＡ；
用量２．５ｍｃｇのビタミンＢ１２；
用量６ｍｇのビタミンＢ５（パントテン酸）；
用量２ｍｇのビタミンＢ６（ピリドキシン）；
用量５００ｍｇのアルギニン；
用量９０ｍｇのビタミンＣ；
用量３０ｍｇのビタミンＥ（α−トコフェロール）；
用量５０ｍｃｇのセレン；
用量１０ｍｇの亜鉛；
用量１．６５ｍｇの銅；
用量１４ｍｇの鉄；
用量５ｍｃｇのビタミンＤ；
用量５０ｍｇのＮ−アセチルシステイン
を含む請求項１〜１６のいずれかに記載の組み合わせ組成物。
【誤訳訂正書】
【提出日】平成29年9月26日(2017.9.26)
【誤訳訂正１】
【訂正対象書類名】明細書
【訂正対象項目名】００２１
【訂正方法】変更
【訂正の内容】
【００２１】
しかし同時に、有利な方法で、そのメカニズムがまだ最終的には理解されていない、特に浸透あるいは移動による潤滑剤の第二の部分の移動運動により、潤滑剤の一部は引張部材と反対側を向いた走行側の外側に集まり、それによりそこで磨擦が低下する所望の特性が実現される。
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
第１の燃焼室（１０）及び少なくとも１つの第２の燃焼室（２０）と、
前記第１の燃焼室（１０）及び前記第２の燃焼室（２０）に通された、加熱すべき物質流（Ｍ）を受け取る少なくとも１つの反応管（２）であって、この場合に前記物質流（Ｍ）が、まず最初に前記第１の燃焼室（１０）内に流され、その後、前記少なくとも１つの第２の燃焼室（２０）内に流されるようになっている反応管（２）と
前記少なくとも１つの反応管（２）内に流れる物質流（Ｍ）を加熱するために前記第１の燃焼室（１０）内にて火炎を生成させて燃料を燃焼するように構成された少なくとも１つの第１のバーナ（１１）と
を有する炉（１）であって、
前記第１の燃焼室（１０）内において生成され得る第１の温度（Ｔ１）と、前記少なくとも１つの第２の燃焼室（２０）内にて生成され得る第２の温度（Ｔ２）とをそれぞれ別個に調整するように構成されている炉（１）において、
前記炉（１）は、前記少なくとも１つの第２の燃焼室（２０）内にて燃料を無炎で酸化させるように構成された少なくとも１つの第２のバーナ（２１）を有する
ことを特徴とする炉（１）。
【請求項２】
前記少なくとも１つの第１のバーナ（１１）はとりわけ前記第１の燃焼室（１０）の蓋部（１０ａ）または底部（１０ｂ）に配置されており、
とりわけ、前記第１の燃焼室（１０）内への前記反応管（２）の導入は、当該第１の燃焼室（１０）の、前記少なくとも１つの第１のバーナ（１１）も配置されている側にて行われ、
とりわけ、前記少なくとも１つの反応管（２）は、前記第１の燃焼室（１０）の、前記少なくとも１つの第１のバーナ（１１）とは反対側から導出される、
請求項１記載の炉。
【請求項３】
前記炉（１）は火室（３）を有しており、当該火室（３）は、当該火室（３）の少なくとも１つの壁（４）によって前記第１の燃焼室（１０）と前記少なくとも１つの第２の燃焼室（２０）とに分割されており、
または、
前記両燃焼室（１０，２０）は、それぞれ別個の火室によって構成されている、
請求項１または２記載の炉。
【請求項４】
前記第１の燃焼室（１０）内において生成され得る第１の温度（Ｔ１）が、前記少なくとも１つの第２の燃焼室（２０）内において生成され得る第２の温度（Ｔ２）より高くなるように、前記炉（１）が構成されており、
前記第１の温度と前記第２の温度との差は、とりわけ数百Ｋである、
請求項１から３までのいずれか１項記載の炉。
【請求項５】
前記少なくとも１つの第２の燃焼室（２０）内において前記第２の温度（Ｔ２）が均質に調節できるように、前記炉（１）が構成されている、
請求項１から４までのいずれか１項記載の炉。
【請求項６】
とりわけ請求項１から５までのいずれか１項記載の炉（１）を用いて、炉（１）の少なくとも１つの反応管（２）内において流れ方向に流れる物質流（Ｍ）の調温方法であって、
第１の燃焼室（１０）内において、前記少なくとも１つの反応管（２）内に流れる物質流（Ｍ）を、別個に調整可能な第１の温度にさらし、その後、少なくとも１つの第２の燃焼室（２０）内において、当該少なくとも１つの反応管（２）の過熱を防止するため、別個に調整可能な第２の温度に当該物質流（Ｍ）をさらす調温方法において、
前記少なくとも１つの第２の燃焼室（２０）内において前記第２の温度（Ｔ２）を均質に設定することを特徴とする調温方法。
【請求項７】
前記物質流（Ｍ）は炭化水素化合物と水蒸気とを含み、
場合によっては前記炉（１）内において触媒を使用して、前記炭化水素化合物を前記水と共に、水素と、相応の酸化された炭化水素化合物とに変換する、
請求項６記載の調温方法。
【請求項８】
前記物質流（Ｍ）は炭化水素化合物、特にナフサ、プロパン、ブタンおよび／またはエタンと、水蒸気とを含み、
前記炭化水素化合物を前記水と共に前記炉（１）内において、たとえばエチレンおよび／またはプロピレン等のオレフィンに変換する、
請求項６記載の調温方法。
【請求項９】
前記物質流（Ｍ）はプロパンおよび水蒸気を含み、
前記プロパンを前記炉（１）内において、とりわけ触媒の存在下で、プロピレンに変換する、
請求項６記載の調温方法。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
熱可塑性若しくは接着性中間層によって又はそのような中間層が組み込まれた多層シートによって一緒に結合された、無機ガラス又は硬質プラスチックの少なくとも２枚の透明シートの集成体を含む情報表示のためのグレージングであり、当該表示を可能とするため少なくとも１種の発光物質が当該グレージング中に組み込まれている情報表示のためのグレージングであって、当該発光物質のうちの１種が、
・２つのヒドロキシル基、
・炭素をベースとし、複素環を含んでいるＲ基、
・式−ＣＯＯＲ”（この式のＲ”は炭化水素ベースの基又は水素である）の炭素ベースのＲ’基、
で少なくとも置換されたベンゼン環を含んでいる、情報表示のためのグレージング。
【請求項２】
前記複素環が不飽和である、請求項１に記載のグレージング。
【請求項３】
前記不飽和の複素環の電子が前記ベンゼン環の電子と共鳴している、請求項２に記載のグレージング。
【請求項４】
前記２つのヒドロキシル基が互いに対してパラの位置にあり且つＲ及びＲ’基が互いに対してパラの位置にある発光物質を含んでいる、請求項１〜３のうちの１項に記載のグレージング。
【請求項５】
前記複素環が少なくとも２つの窒素原子を含んでいる、請求項１〜４のうちの１項に記載のグレージング。
【請求項６】
Ｒ’が−ＣＯＯＲ”エステル基（この式のＲ”は１〜１５個の炭素原子を含む炭化水素ベースの鎖である）である、請求項１〜５のうちの１項に記載のグレージング。
【請求項７】
Ｒ”が連続して結合した炭素原子を６個以上含む炭素ベースの主鎖を含む炭化水素ベースの鎖である、請求項１〜６のうちの１項に記載のグレージング。
【請求項８】
Ｒ”が連続した炭素原子を６個以上含む炭素ベースの主鎖を含む直鎖又は分岐鎖の炭素ベース基であり、当該Ｒ”基は、当該鎖が直鎖である場合は合計で１０個を超える炭素原子を含み、当該鎖が分岐鎖である場合は合計で少なくとも７個の炭素原子を含んでいる、請求項１〜７のうちの１項に記載のグレージング。
【請求項９】
前記Ｒ基が不飽和の複素環とベンゼン環とを含んでいる、請求項１〜８のうちの１項に記載のグレージング。
【請求項１０】
前記Ｒ基がベンゾオキサゾール基：
【化１】
2017503737.tif 000001
を含んでいる、請求項１〜９のうちの１項に記載のグレージング。
【請求項１１】
前記Ｒ基がベンズイミダゾール基：
【化２】
2017503737.tif 000002
を含んでいる、請求項１〜９のうちの１項に記載のグレージング。
【請求項１２】
前記中間層が熱可塑性物質で作られており、前記発光物質が当該熱可塑性物質中に分散されている、請求項１〜１１のうちの１項に記載のグレージング。
【請求項１３】
前記中間層を構成する熱可塑性物質が、ＰＶＢ、可塑化ＰＶＣ、ポリウレタンＰＵ、及びエチレン／酢酸ビニルＥＶＡの群から選択される、請求項１〜１２のうちの１項に記載のグレージング。
【請求項１４】
建築物向けのグレージングである、請求項１〜１０のうちの１項に記載のグレージング。
【請求項１５】
熱可塑性若しくは接着性の中間層によって一緒に結合された無機ガラス又はプラスチックからなる２枚の透明シートの集成体を含む、請求項１〜１３のうちの１項に記載のグレージングからなる自動車のフロントガラス又は航空機の風防スクリーン。
【請求項１６】
請求項１〜１４のうちの１項に記載のグレージングと、ダイオードの、集中励起放射線を発生させる光源とを含み、当該光源の放射線が３５０ｎｍと４１０ｎｍｍの間であり、当該励起放射線を当該グレージングの前記発光物質を含む領域に当てる、透明グレージング上に画像を表示するための装置。
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
複数のバッチの［18Ｆ］標識陽電子放射断層撮影（ＰＥＴ）トレーサーの合成用カセット（１）であって、
（ｉ）複数のバッチの各々のための陰イオン交換カラム（３，４）と、
（ｉｉ）反応槽（５）と、
（ｉｉｉ）複数のバッチの各々のための溶出液のアリコートを収容するバイアル（２）と、
（ｉｖ）複数のバッチの各々のための前駆体化合物のアリコートを収容するバイアル（６）と、
（ｖ）試薬バイアル（７，８，９）であって、各試薬バイアルが、複数のバッチの各々のための試薬のアリコートを収容する試薬バイアルと、
（ｖｉ）任意に、脱保護用の固相抽出（ＳＰＥ）カラム（１０）及び／又は１以上の精製用ＳＰＥカラム（１１，１２）と、
（ｖｉｉ）反応槽及びＳＰＥカラムの洗浄手段と
を備える、カセット。
【請求項２】
ＰＥＴトレーサーが、［18Ｆ］フルオロデオキシグルコース（［18Ｆ］ＦＤＧ）、［18Ｆ］フルオロミソニダゾール（［18Ｆ］ＦＭＩＳＯ）、［18Ｆ］フルオロチミジン（［18Ｆ］ＦＬＴ）、［18Ｆ］フルオロアゾマイシンアラビノフラノシド（［18Ｆ］ＦＡＺＡ）、［18Ｆ］フルオロエチル−コリン（［18Ｆ］ＦＥＣＨ）、［18Ｆ］フルオロシクロブタン−１−カルボキシル酸（［18Ｆ］ＦＡＣＢＣ）、［18Ｆ］フルマゼニル（［18Ｆ］ＦＭＺ）、［18Ｆ］チロシン、［18Ｆ］アルタンセリン、４−［18Ｆ］フルオロ−３−ヨードベンジルグアニジン（［18Ｆ］ＦＩＢＧ）、メタ−［18Ｆ］フルオロベンジルグアニジン（［18Ｆ］ｍＦＢＧ）及び［18Ｆ］５−フルオロウラシルから選択される、請求項１記載のカセット。
【請求項３】
陰イオン交換カラム（３，４）が、四級アンモニウム陰イオン交換（ＱＭＡ）カラムである、請求項１又は請求項２記載のカセット。
【請求項４】
溶出液が、有機−水溶液中に溶解した陽イオン型対イオンを含む、請求項１乃至請求項３のいずれか１項記載のカセット。
【請求項５】
反応槽及びＳＰＥカラムの洗浄手段が、反応槽及びＳＰＥカラムに流体接続されている水の供給源を含む、請求項１乃至請求項４のいずれか１項記載のカセット。
【請求項６】
反応槽及びＳＰＥカラムの洗浄手段が、脱保護用ＳＰＥカラム（１０）に流体接続されているアセトニトリルの供給源を含む、請求項５記載のカセット。
【請求項７】
反応槽及びＳＰＥカラムの洗浄手段が、精製用ＳＰＥカラムに流体接続されているエタノールの供給源を含む、請求項５又は請求項６記載のカセット。
【請求項８】
複数のバッチの［18Ｆ］標識ＰＥＴトレーサーの合成方法であって、
（ａ）［18Ｆ］フッ化物の第１のアリコートを第１の陰イオン交換カラム（３）で捕捉するステップと、
（ｂ）前駆体化合物の第１のアリコートを反応槽（５）に供給するステップと、
（ｃ）溶出液の第１のアリコートを第１の陰イオン交換カラム（３）に流して、［18Ｆ］フッ化物の第１のアリコートを反応槽（５）に溶出させるステップと、
（ｄ）反応槽（５）を所定時間加熱して、粗［18Ｆ］標識ＰＥＴトレーサーを得るステップと、
（ｅ）任意に、粗［18Ｆ］標識ＰＥＴトレーサーをＳＰＥカラム（１０）で脱保護するステップと、
（ｆ）任意に、粗［18Ｆ］標識ＰＥＴトレーサーを、１以上の精製用ＳＰＥカラム（１１，１２）で精製するステップと、
（ｇ）反応槽（５）及びＳＰＥカラムを洗浄するステップと、
（ｈ）順次［18Ｆ］フッ化物の次のアリコート、次の陰イオン交換カラム（４）及び［18Ｆ］ＦＤＧ前駆体化合物の次のアリコートを用いて、ステップ（ａ）〜（ｇ）を１回以上繰り返すこと
を含んでおり、単一のカセット（１）で実施される方法。
【請求項９】
ＰＥＴトレーサーが、［18Ｆ］フルオロデオキシグルコース（［18Ｆ］ＦＤＧ）、［18Ｆ］フルオロミソニダゾール（［18Ｆ］ＦＭＩＳＯ）、［18Ｆ］フルオロチミジン（［18Ｆ］ＦＬＴ）、［18Ｆ］フルオロアゾマイシンアラビノフラノシド（［18Ｆ］ＦＡＺＡ）、［18Ｆ］フルオロエチル−コリン（［18Ｆ］ＦＥＣＨ）、［18Ｆ］フルオロシクロブタン−１−カルボキシル酸（［18Ｆ］ＦＡＣＢＣ）、［18Ｆ］フルマゼニル（［18Ｆ］ＦＭＺ）、［18Ｆ］チロシン、［18Ｆ］アルタンセリン、４−［18Ｆ］フルオロ−３−ヨードベンジルグアニジン（［18Ｆ］ＦＩＢＧ）、メタ−［18Ｆ］フルオロベンジルグアニジン（［18Ｆ］ｍＦＢＧ）及び［18Ｆ］５−フルオロウラシルから選択される、請求項８記載の方法。
【請求項１０】
第１の陰イオン交換カラム（３）及び次の陰イオン交換カラム（４）が、四級アンモニウム陰イオン交換（ＱＭＡ）カラムである、請求項８又は請求項９記載の方法。
【請求項１１】
溶出液が、有機−水溶液中に溶解した陽イオン型対イオンを含む、請求項８乃至請求項１０のいずれか１項記載の方法。
【請求項１２】
洗浄ステップが、反応槽（５）及びＳＰＥカラムをすすぐことを含む、請求項８乃至請求項１１のいずれか１項記載の方法。
【請求項１３】
洗浄ステップが、脱保護用ＳＰＥカラム（１０）を、水ですすぐ前に、アセトニトリルですすぐことを含む、請求項１２記載の方法。
【請求項１４】
洗浄ステップが、精製用ＳＰＥカラム（１１，１２）を、水ですすぐ前に、エタノールですすぐことを含む、請求項１２又は請求項１３記載の方法。
【請求項１５】
コンピュータ読取り可能なプログラムコードを含む非一時的記憶媒体であって、コンピュータ読取り可能なプログラムコードを実行すると、請求項８乃至請求項１４のいずれか１項記載のステップがプロセッサにより実施される、非一時的記憶媒体。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
以下のステップを包含していることを特徴とする車載カメラ・システムを用いた路面の路面被覆物を同定するための方法であって、路面被覆物は、路面を面状に覆うメディアや物体により形成され、様々な路面被覆物は、車両（Ｅ，Ｆ）がその上を通過する際、様々な特徴的な挙動を示す方法において：
−  車載カメラ・システムによって、車両周辺部の少なくとも一枚の画像を撮影することで、様々な路面被覆物の様々な挙動を検出するステップ、
−  該少なくとも一枚の画像が、一台の車両（Ｅ，Ｆ）が該路面を通過している時の路面被覆物の存在を示す間接的証拠を割り出すために、評価されるステップ、
−  割り出された間接的証拠が、路面被覆物の同定の際に考慮され  様々な路面被覆物の様々な挙動は、画像評価によって特定され、これに基づいて、路面被覆物の種類を割り出すステップ、
−  路面被覆物の同定結果が出力されるステップ。
【請求項２】
画像中の路面、車両、車両ガラスへの降水の影響が、間接的証拠として、画像処理によって割り出されることを特徴とする請求項１に記載の方法。
【請求項３】
間接的証拠として、車両（Ｅ，Ｆ）の少なくとも一つのタイヤが通過する路面被覆物の影響が、画像処理によって割り出されることを特徴とする請求項１或いは２に記載の方法。
【請求項４】
路面被覆物の存在を示す間接的証拠を得られる少なくとも一枚の少なくとも一領域が、割り出されることを特徴とする請求項１から３のうち何れか一項に記載の方法。
【請求項５】
少なくとも一枚の画像内の該領域が、各々一種の路面被覆物に帰属するクラスの集合に対して割り出された間接的証拠を描写する分級手段に供給されることを特徴とする請求項４に記載の方法。
【請求項６】
自車両（Ｅ）のタイヤが該路面を通過する時に路面被覆物の存在を示す間接的証拠を割り出せるように、該車載カメラ・システムが、自車両（Ｅ）の周辺領域の後方（３，１ｅ，１ｆ）に向けられた、及び／或いは、側方（１ｃ，１ｄ）に向けられた捕捉領域を有していることを特徴とする請求項１から５のうち何れか一項に記載の方法。
【請求項７】
前方を走行している、前方を横切っている、或いは、前方から向かってくる車両（Ｆ）が、該路面を通過している画像を評価することによって、路面被覆物の存在を示す間接的証拠を割り出せるように、該車載カメラ・システムが、自車両（Ｅ）前方への捕捉領域（２，１ａ，１ｂ）を有していることを特徴とする請求項１から６のうち何れか一項に記載の方法。
【請求項８】
車両（Ｅ，Ｆ）が該路面を通過している時の路面被覆物の存在を示す間接的証拠に、路面被覆物の巻き上げられた内容物も包含されることを特徴とする請求項１から７のうち何れか一項に記載の方法。
【請求項９】
路面被覆物の存在の間接的証拠に、前方を走行している、前方を横切っている、或いは、前方から向かってくる車両（Ｆ）が該路面を通過したことに起因する車載カメラ・システムの視野内における見通しの妨害も包含されることを特徴とする請求項１から８のうち何れか一項に記載の方法。
【請求項１０】
車両（Ｅ，Ｆ）が該路面を通過している時の路面被覆物の存在を示す間接的証拠に、路面被覆物に残るタイヤの跡が包含されることを特徴とする請求項１から９のうち何れか一項に記載の方法。
【請求項１１】
路面被覆物の存在の同定において、降水と言う間接的証拠、及び／或いは、車両（Ｅ，Ｆ）が該路面を通過する際の路面被覆物の存在の間接的証拠の他にも、様々な路面被覆物の付加的、典型的、汎用的特徴を検出し、考慮することを特徴とする請求項１から１０のうち何れか一項に記載の方法。
【請求項１２】
上記分級手段に、割り出された間接的証拠をそれぞれの路面被覆物に帰属させることができるようにトレーニングされたニューラルネットワークが、包含されていることを特徴とする請求項５から１１のうち何れか一項に記載の方法。
【請求項１３】
路面被覆物の同定結果が、路面状態識別の、或いは、路面クラス分類の結果と組み合わされた上で、摩擦係数推定が実施されることを特徴とする請求項１から１２のうち何れか一項に記載の方法。
【請求項１４】
路面の路面被覆物を同定するための装置であって、
路面被覆物は、路面を面状に覆うメディアや物体により形成され、様々な路面被覆物は、車両（Ｅ，Ｆ）がその上を通過する際、様々な特徴的な挙動を示し、
車両周辺部の少なくとも一枚の画像を撮影することで、様々な路面被覆物の様々な挙動を検出するように構成されている車載カメラ・システム、
降水によって、及び／或いは、車両（Ｅ，Ｆ）が該路面を通過することによって路面被覆物の存在を示す間接的証拠を割り出すために、該少なくとも一枚の画像の評価を実施できるように構成されている評価ユニット、
割り出された間接的証拠を考慮したうえで路面被覆物を同定するように構成され、様々な路面被覆物の様々な挙動は、画像評価によって特定され、これに基づいて、路面被覆物の種類を割り出す同定ユニット、
並びに、割り出された結果を出力する出力ユニットを包含する装置。
【手続補正書】
【提出日】平成29年11月1日(2017.11.1)
【手続補正１】
【補正対象書類名】明細書
【補正対象項目名】００２４
【補正方法】変更
【補正の内容】
【００２４】
図２Ｃおよび図２Ｄはそれぞれ、締め具２４０を介してバッキング板１０２に固定することができる例示的なパッド２１０の上面図および横断面（線Ｄ−Ｄに沿って）側面図である。図２Ｃに示すように、パッド２１０は、支承表面２１２と、パッド２１０の本体内へ部分的に延びる第１の直径を有する皿穴付き凹み２５０と、第１の直径より小さい第２の直径を有する貫通孔２５２とを含む。締め具２４０は、締め具２４０のヘッドが、支承表面２１２の下で皿穴に埋められるように（すなわち、締め具２４０のヘッドが、図４に関して以下で論じる密封リング４８１に接触しないように）、または締め具２４０のヘッドが、支承表面２１２と平面になるように、皿穴付き凹み２５０および貫通孔２５２内に配置することができる。締め具２４０のヘッドは、パッド２１０の表面２５６と接触する。締め具２４０のシャフトは、パッド２１０をバッキング板１０２に固定するように、貫通孔２５２を通して配置される。パッド２１０の設置表面２１４は、凹み１２０の底面２０２と接触する。